(57)【特許請求の範囲】
【請求項１】
経糸と緯糸を交錯させて織成した袋体の内部に、植生基材を加圧注入してなる法面施工用植生マットにおいて、
上記袋体は相対的に生分解速度の速い生分解性糸と、生分解速度の遅い生分解性糸を所定の目合で交錯させて織成されていると共に、上記袋体には植生基材充填部が区画形成されており、
該袋体の植生基材充填部には、生長の異なる草本類と木本類の種子が混入された植生基材が加圧注入されており、
前記種子の伸長した根が斜面に密生して地盤に絡み付くことで植生マットを法面上に保持し、
生分解速度の速い生分解性糸が分解した時点では、草本類の種子が成長して斜面を平面的に緑化し、
生分解速度の遅い生分解性糸が分解した時点では、木本類の種子が成長して立体的な樹形美を醸し出すと共に、植生マットの袋体が分解して土に還るように構成したことを特徴とする法面施工用植生マット。
【請求項２】
経糸と緯糸を交錯させて織成した袋体の内部に、植生基材を加圧注入してなる法面施工用植生マットを用いた法面の保護方法であって、
前記袋体は相対的に生分解速度の速い生分解性糸と、生分解速度の遅い生分解性糸を所定の目合で交錯させて織成されていると共に、前記袋体には植生基材充填部が区画形成されており、
前記方法は、
前記植生マットを構成する袋体を斜面に沿って敷設し、
アンカーを用いて前記袋体を斜面に固定し、
前記袋体の植生基材充填部に生長の異なる草本類、木本類の種子を混入した植生基材を加圧注入し、
前記種子が発芽、発根し、伸長した根が斜面に密生して地盤に絡み付くことで、前記植生マットを斜面に保持し、
生分解速度の速い生分解性糸が分解して土に還る時点では、草本類による平面的な緑化を図り、
生分解速度の速い生分解性糸が分解した時点では、草本類の種子が成長して斜面を平面的に緑化し、
生分解速度の遅い生分解性糸が分解した時点では、木本類の種子が成長して立体的な樹形美を醸し出すと共に、植生マットの袋体が分解して土に還る、
ことを特徴とする法面施工用植生マットを用いた法面の保護方法。
【発明の詳細な説明】
【０００１】
【発明の属する技術分野】
本発明は、法面施工用植生マットに係り、詳しくは、切り取られた斜面や盛土のような人工的斜面の崩壊を防止して斜面を保護するとともに、斜面の平面的な緑化と立体的な樹形の生育を促進させ、もって自然環境の回復と保全を図ることができる法面施工用植生マットに関するものである。
【０００２】
【従来の技術】
切り取られた斜面や盛土のような人工的斜面は、雨水、地下水の浸透などによる浸食作用や風、気温などによる風化作用により崩壊して自然災害を誘起する虞がある。このため、従来から斜面を保護する法面工として、モルタル吹付け工、張り石工、張りコンクリート工、コンクリート枠工、落石防止棚工など、種々の工法が施工されているが、近時は自然環境の回復と保全を図る見地から植生工が要望され、好適な資材として各種の植生マットが提案されている。
【０００３】
ところが、従来提案されている植生マットは、植生基材を充墳する袋体が、表面側織布をポリ乳酸繊維糸のような生分解性糸で織成し、裏面側織布をポリエステル、ポリアミド、ポリエチレン等の合成繊維糸で織成したもの、あるいは袋体の全体をポリエステル、ポリアミド、ポリエチレン等の合成繊維で織成するとともに、表面側織布の目合を裏面側織布の目合より粗く織成し、かつ表面側織布に所要間隔を存してポリ乳酸繊維糸のような生分解性糸を織込んだもので構成されているので、植生基材中の種子が成長して斜面を緑化することにより、斜面の崩壊を防止することができても、緑化後にポリエステル等の合成繊維からなる織布が残滓して土に還ることができないため、これが景観を著しく損って自然環境の回復を妨げるという不具合がある。
【０００４】
【発明が解決しようとする課題】
本発明は上記のような実状に鑑み、従来の不具合を一掃すべく創案されたものであって、その意図するところは、相対的に生分解速度の異なる２種類の生分解性糸で植生マットの袋体を織成し、かつ該袋体内と草本類、木本類の種子を混入した客土等からなる植生基材を充墳して植生マットを構成し、これを斜面に敷設したことにより、生分解速度の早い生分解性糸が分解して土に還る時点では、草本類による平面的な緑化を図ることができ、生分解速度の遅い生分解性糸が分解して土に還る時点では、木本類による立体的な樹形美を醸し出すことができ、もって法面の保護と相俟って、自然環境の回復と保全を図ることができる植生マットを提供することを課題とするものである。
【０００５】
【課題を解決するための手段】
上記課題を解決するため、本発明が採用した第１の技術手段は、経糸と緯糸を交錯させて織成した袋体の内部に、植生基材を加圧注入してなる法面施工用植生マットにおいて、上記袋体は相対的に生分解速度の速い生分解性糸と、生分解速度の遅い生分解性糸を所定の目合で交錯させて織成されていると共に、植生基材充填部が区画形成されており、該袋体の植生基材充填部には、生長の異なる草本類と木本類の種子が混入された植生基材が加圧注入されており、前記種子の伸長した根が斜面に密生して地盤に絡み付くことで植生マットを法面上に保持し、生分解速度の速い生分解性糸が分解した時点では、草本類の種子が成長して斜面を平面的に緑化し、生分解速度の遅い生分解性糸が分解した時点では、木本類の種子が成長して立体的な樹形美を醸し出すと共に、植生マットの袋体が分解して土に還るように構成したことを特徴とするものである。
【０００６】
本発明が採用した第２の技術手段は、経糸と緯糸を交錯させて織成した袋体の内部に、植生基材を加圧注入してなる法面施工用植生マットを用いた法面の保護方法であって、前記袋体は相対的に生分解速度の速い生分解性糸と、生分解速度の遅い生分解性糸を所定の目合で交錯させて織成されていると共に、植生基材充填部が区画形成されており、前記方法は、前記植生マットを構成する袋体を斜面に沿って敷設し、アンカーを用いて前記袋体を斜面に固定し、前記袋体の植生基材充填部に生長の異なる草本類、木本類の種子を混入した植生基材を加圧注入し、前記種子が発芽、発根し、伸長した根が斜面に密生して地盤に絡み付くことで、前記植生マットを斜面に保持し、生分解速度の速い生分解性糸が分解して土に還る時点では、草本類による平面的な緑化を図り、生分解速度の速い生分解性糸が分解した時点では、草本類の種子が成長して斜面を平面的に緑化し、生分解速度の遅い生分解性糸が分解した時点では、木本類の種子が成長して立体的な樹形美を醸し出すと共に、植生マットの袋体が分解して土に還ることを特徴とするものである。
【０００７】
【発明の実施の形態】
本発明の実施の形態を添付図面に基づいて詳細に説明する。図１は植生マットの構成部材である袋体の平面図、図２は一部を縦断面して示す植生マットの斜視図、図３は斜面に敷設した状態を縦断面して示す植生マットの側面図である。
【０００８】
上記図において、植生マット１の構成部材である袋体２は、相対的に生分解速度の早い生分解性糸２ａと生分解速度の遅い生分解性糸２ｂを所定の目合２ｃで交錯させて織成されている。実施例では生分解速度の早い生分解性糸２ａを経糸とし、生分解速度の遅い生分解性糸２ｂを緯糸に使用したものを示したが、これに限定されるものではなく、生分解速度の早い生分解性糸を緯糸とし、生分解速度の遅い生分解性糸２ｂを経糸に使用してもよい。
【０００９】
生分解速度の早い生分解性糸２ａはポリ乳酸繊維が好適であり、生分解速度の遅い生分解性糸２ｂは綿、麻等の植物繊維糸が好適であるが、これに限定されるものではなく、要は相対的に生分解速度の異なる２種類の生分解性糸で袋体２が織成されているものであればよい。
【００１０】
袋体２の地組織は、平織、斜文織、朱子織のいずれでもよいが、織成工程の容易性から平織が好ましい。また、地組織の目合２ｃも、これを蜜にすると植生マット１の剛性が向上するが、その反面植物の生育が阻害され、逆に粗くすると剛性が低下するので、３〜５ｍｍ程度が好ましい。
【００１１】
袋体２は所定の横幅で縦長状に織成されており、実施例では横幅２ｍに設定され、縦方向は１ｍごとに区画して織成されて、それぞれ横長状の植生基材充墳部２ｄが形成されている。また、袋体２の厚さは後述する植生基材３が上記充墳部２ｄに充墳された際、全体が５ｃｍ、７ｃｍ、１０ｃｍ、１５ｃｍ、２０ｃｍの厚みとなるように織成されている。更に袋体２は法面施工後に周囲の景観を損わないようにするため、斜面と同化する色（茶色系・茶褐色系）に着色されているが、着色手段は生分解成糸２ａ，２ｂを先染めしてもよく、また織成した袋体２を後染めしてもよい。
【００１２】
植生基材３は、客土、有機質堆肥、木材チップ、活性汚泥、草本類および木本類の植物の種子等からなり、これらを法面施工現場で水で混錬してポンプで袋体２に加圧注入することにより、植生マット１が構成される。
【００１３】
次に叙上のように構成した植生マット１による法面の施工法について説明する。先ず植生マット１の構成部材である袋体２を斜面に沿って所要枚敷設する。次いで袋体２の経方向の耳部に適宜の間隔でアンカー４を打設して袋体２を経緯方向に連結固定した後、袋体２に区画形成した各植生基材充墳部２ｄ……に、前記植生基材３を充墳して、袋体２の全体の厚みを現場の植生条件に対応して所定の厚みに設定する。この際、袋体２を斜面に沿って固定するアンカー４も、経年的に分解して土に還る素材を選択して形成する。
【００１４】
施工後、１０〜１５ヶ月位経過すると、種子が発芽、発根し、伸長した根が斜面に密生して地盤に絡み付いているので、植生マット１は安定して保持されており、雨や雪によって植生基材３が流出する惧れはない。そして、２〜３年経過すると、生分解速度が相対的に早いポリ乳酸繊維糸２ｂが水と炭酸ガスなどに分解して土に還るが、その時点では既に草本類の種子は成長しており、斜面を平面的に緑化することになる。
【００１５】
一方、木本類の種子は苗木に生長し、伸長した根は地盤に絡みついて安定した状態になっており、施工後４〜５年経過すると、生分解速度が相対的に遅い麻糸などが分解し、土に還る時点では立体的な樹形美を醸し出すに至る。したがって、植生マット１は残滓するものがなく、すべて生分解して土に還元するため、自然環境の回復と保全を図ることができる。
【００１６】
【発明の効果】
以上の説明によって明らかなように、本発明によれば、相対的に生分解速度の異なる２種類の生分解性糸で植生マットの構成部材である袋体を織成し、これに対応して袋体内に充墳される植生基材中に生長の異なる草本類と木本類の種子を混入してなるものであるから、これを斜面に敷設すると、生分解速度の早い生分解性糸が分解した時点では、生長の早い草木類の種子が成長して斜面を平面的に緑化することができ、生分解速度の遅い生分解性糸が分解した時点では、生長の遅い木本類の種子が成長して立体的な樹形美を醸し出すことができる許りでなく、植生マットの袋体も分解して土に還るので、景観を呈しならが法面を保護することができ、自然環境の回復と保全を図ることができる効果を奏する。
【図面の簡単な説明】
【図１】植生マットの構成部材である袋体の平面図
【図２】一部を縦断面して示す植生マットの斜視図
【図３】斜面に敷設した状態を縦断面して示す植生マットの側面図
【符号の説明】
１    植生マット
２    袋体
２ａ  生分解速度の早い生分解性糸（経糸）
２ｂ  生分解速度の遅い生分解性糸（緯糸）
２ｃ  目合
３    植生基材
４    アンカー
【図１】
0003722726.tif 000002
【図２】
0003722726.tif 000003
【図３】
0003722726.tif 000004